(57)【要約】【課題】幅木の表面の固定具打ち込み溝の高さ位置に対応した横胴縁などの固定用の下地材がなくても壁面の下部に強固に固定できる幅木を提供する。【解決手段】幅木１０は、壁面の下部において表面側から固定具７を打ち込んで、壁材４の裏面側の下部に配された横胴縁５に固定されるベース材１１と、ベース材１１の上端面と表面とを隠蔽し表面側から固定具７、７を打ち込んでベース材１１に固定されるカバー材１２とを備えており、カバー材１２の表面には、ベース材１１の打ち込み位置１１ａとは異なる高さ位置に、ベース材１１に対して固定具７を打ち込むための打ち込み溝１２ｄ、１２ｄが形成されている。【選択図】図１
2017002605.tif 000002
【特許請求の範囲】
【請求項１】
壁面の下部において表面側から固定具を打ち込んで、壁材の裏面側の下部に配された横胴縁に固定されるベース材と、該ベース材の上端面と表面とを隠蔽し表面側から固定具を打ち込んで前記ベース材に固定されるカバー材とを備えており、
前記カバー材の表面には、前記ベース材の固定具打ち込み位置とは異なる高さ位置に、前記ベース材に対して固定具を打ち込むための打ち込み溝が形成されていることを特徴とする幅木。
【請求項２】
請求項１において、
前記カバー材の前記打ち込み溝は異なる高さ位置に複数設けられている、幅木。
【発明の詳細な説明】
【技術分野】
【０００１】
本発明は、壁面の下部に、壁材を介して横胴縁に取付固定される幅木に関する。
【背景技術】
【０００２】
幅木は壁面の下部に取り付けられるものであるが、壁材が石膏ボードで形成されている場合は、壁材の裏面側の下部に配された横胴縁に対して、壁材を介して釘などの固定具で固定されることがある（たとえば、特許文献１参照）。
【０００３】
ところで近年、高齢者施設などでは、車椅子の衝突から壁面を保護する目的で、高さの高い幅木を取り付けることが求められている。そのような高さの高い幅木の場合、幅木をしっかりと固定するためには、複数の高さ位置で固定具を打ち込む必要がある。
【先行技術文献】
【特許文献】
【０００４】
【特許文献１】特開２０１４−２０５９６６号公報
【発明の概要】
【発明が解決しようとする課題】
【０００５】
しかしながら、幅木の高さの高い部位に釘などの固定具を打ち込む場合、打ち込み高さによっては、壁材の裏面側の下部に配された横胴縁と高さ位置が合わず、その横胴縁に固定できない可能性がある。その場合、その横胴縁よりも上方の横胴縁に固定できるなら問題はないが、かならずしも位置が合致するとは限らない。
【０００６】
そもそも、幅木の表面には、特定の高さ位置に固定具打ち込み溝が形成されているから、固定具の打ち込み高さ位置を下地材（横胴縁）の高さ位置に合わせて定めることはできない。したがって、壁材が石膏ボードで形成されたものである場合に、その壁面に高さの高い幅木を取り付けることは、ほとんど不可能である。
【０００７】
本発明は、このような事情を考慮して提案されたもので、その目的は、幅木の表面の固定具打ち込み溝の高さ位置に対応した固定具打ち込み用の下地材がなくても壁面の下部に強固に固定できる幅木を提供することにある。
【課題を解決するための手段】
【０００８】
上記目的を達成するために、本発明の幅木は、壁面の下部において表面側から固定具を打ち込んで、壁材の裏面側の下部に配された横胴縁に固定されるベース材と、ベース材の上端面と表面とを隠蔽し表面側から固定具を打ち込んでベース材に固定されるカバー材とを備えており、カバー材の表面には、ベース材の固定具打ち込み位置とは異なる高さ位置に、ベース材に対して固定具を打ち込むための打ち込み溝が形成されていることを特徴とする。
【発明の効果】
【０００９】
本発明の幅木によれば、上述の構成となっているため、幅木の表面の打ち込み溝の高さ位置に対応した横胴縁などの固定具打ち込み用の下地材がなくても、壁面の下部に強固に固定することができる。したがって、高さの高い幅木も一般的な高さの幅木と同様に強固にかつ簡易に取り付けることができる。
【図面の簡単な説明】
【００１０】
【図１】本発明の一実施形態に係る幅木の施工途中の状態を示す縦断面図である。
【図２】幅木の施工完了後の状態を示す縦断面図である。
【図３】（ａ）（ｂ）は、幅木を構成するベース材、カバー材の各部分縦断面斜視図である。
【発明を実施するための形態】
【００１１】
以下に、本発明の実施の形態に係る幅木について、添付図面をもとに説明する。
【００１２】
まず、この幅木１０の概略について説明する。なお、図１には幅木１０の施工途中の状態を、図２には幅木１０の施工完了後の状態を図示している。これらの図において、１は根太、２は床材、３は壁躯体、４は壁材、５は壁材４の下端に対応し、壁躯体３と壁材４との間に配された横胴縁である。また、本実施形態の幅木１０の取付対象である壁材４は石膏ボードで形成されており、壁材４の裏面側の横胴縁５が固定具７の打ち込み用の下地材として利用される。
【００１３】
この幅木１０は、壁面の下部において表面側から固定具７を打ち込んで、壁材４の裏面側の下部に配された横胴縁５に固定されるベース材１１を備えている。幅木１０はさらに、ベース材１１の上端面と表面とを隠蔽し表面側から固定具７、７を打ち込んでベース材１１に固定されるカバー材１２を備えている。このカバー材１２の表面には、ベース材１１の固定具７の打ち込み位置とは異なる高さ位置に、ベース材１１に対して固定具７、７を打ち込むための打ち込み溝１２ｄ、１２ｄが形成されている（以上、図１および図２参照）。
【００１４】
ついで、本幅木１０の詳細について説明する。
【００１５】
この幅木１０は、従来の幅木と同様、屋内の居室や廊下などの壁面と床面の隅部に沿って、壁面の下部を覆うように取り付けられる帯板部材である。なお、幅木１０の素材としては、固定具７の打ち込みができる木質材料が望ましいが、特に限定されるものではなく、合成樹脂であってもよい。
【００１６】
本実施形態の幅木１０は、図３（ａ）（ｂ）の縦断面斜視図に示すように２枚の帯板部材よりなる。いずれの部材も下端面が床面に当接して起立状態で取り付けられるものである（図１および図２参照）。なお、両部材において、図３（ａ）（ｂ）における左側の、図に表れない面が壁面側の面（背面または裏面）であり、右側の、図に表れている面が空間側の面（表面または前面）である。
【００１７】
図３（ａ）に示した部材は、壁面に対する幅木１０の固定を担うベース材１１である。図例のものは、厚さ寸法が７ｍｍ、高さ寸法（板材の幅寸法）が２５０ｍｍである。ベース材１１の表面の下部（本例の場合、下端から約４０ｍｍの高さ位置）には、背面に向けて固定具７を打ち込むための目印となる打ち込み溝１１ａが全長にわたって均一高さ位置に形成されている。
【００１８】
この打ち込み溝１１ａの溝幅寸法は、本実施形態では固定具７として頭径の小さいフィニッシュネイルを用いるため、それに合わせて７ｍｍ程度となっている。なお、ベース材１１は施工後に表面が露出されないため、表面露出の大きい固定具７を用いても美感上の問題はなく、頭径の大きい釘やステープルを固定具７として用いてもよい。ただし、カバー材１２を固定するための固定具７との接触を回避する必要があり、カバー材１２の打ち込み可能な領域を大きく確保するために、ベース材１１の打ち込み溝１１ａはフィニッシュネイルに対応した本例のような細溝とすることが望ましい。
【００１９】
打ち込み溝１１ａの高さ位置は、ベース材１１の固定対象である壁材４の裏面側の下部に配された横胴縁５（図１参照）の取付位置と、その横胴縁５の幅寸法（床面からの横胴縁５の上端面までの高さ寸法）とによって定められる。幅木１０の取付位置から想定すれば、壁材４の下端に対応して取り付けられる横胴縁５が位置を特定しやすく、ベース材１１の固定対象として適している。
【００２０】
図３（ｂ）に示した部材は、幅木１０の露出面を形成するためのカバー材１２である。カバー材１２は、図例のように、背面側の一部が切除され凹所１２ａが形成されており、全体として縦断面視で略逆Ｌ字形状をなしている。幅木１０が施工されることで、この凹所１２ａにはベース部材１１が収容される。
【００２１】
図例のカバー材１２は、高さ寸法が３００ｍｍである。また、凹所１２ａの厚さ（背面側からの深さ）寸法が７ｍｍ、その前面側の肉薄部１２ｂの厚さ寸法が７ｍｍであり、凹所１２ａの下端から上端までの高さ寸法は２５０ｍｍである。つまり、幅木１０が後述するように施工された際には、凹所１２ａに隙間なく、また背面側にも下方にも突出することなくベース材１１が収容される。
【００２２】
また、肉薄部１２ｂの表面には、カバー材１２の高さ寸法を概ね３等分したような均一な高さ位置に、２本の凹溝が全長にわたって形成してある。この凹溝は固定具７、７の打ち込み溝１２ｄ、１２ｄである。また、カバー材１２の表面は露出面であるため、凹溝は意匠性を担うデザイン溝でもある。これらの凹溝の高さ位置は、上述したように、固定具７どうしの接触を回避するために、いずれの打ち込み溝１２ｄ、１２ｄも、ベース材１１の打ち込み溝１１ａの高さ位置とは合致していない（図３（ａ）（ｂ）参照）。なお、これらの打ち込み溝１２ｄ、１２ｄは意匠性を考慮して、固定具７として目立たないフィニッシュネイルが用いられるため、それに合わせて溝幅寸法は７ｍｍ程度の細溝に形成されている。
【００２３】
一方、カバー材１２の上部の肉厚部１２ｃの厚さ寸法は１４ｍｍ、肉薄部１２ｂの上端からの高さ寸法は５０ｍｍである。なお、肉厚部１２ｃの高さ寸法はベース材１１の寸法による制約はない。肉厚部１２ｃは、すくなくともベース材１１の上端面を覆うことのできる形状とすればよい。また、肉厚部１２ｃの表面側の上端角部１２ｅは破損防止を考慮して面取り（アール加工）されている。なお、上部の表面を、意匠性向上や破損防止、安全性強化などを目的として、図３（ｂ）において２点鎖線で示したように、大きな径の湾曲面としてもよい。
【００２４】
このような２部材よりなる本幅木１０は、寸法を上記したように一般的な幅木に比べて高さの高い高幅木である。この高幅木は、たとえば高齢者施設などで用いられ、車椅子の衝突から壁面を保護できるようになっている。
【００２５】
このような２種の幅木用部材は、上述したように、壁面と床面の隅部に沿って、壁面の下部を覆うように取り付けられる。この２部材は、図１および図２に示した施工手順で取り付けられる。
【００２６】
この幅木１０は、図２に示すように、ベース材１１がカバー材１２の凹所１２ａに収容された状態で壁面に固定されるようになっている。なお、幅木１０の施工は、１）ベース材１１の壁面への固定、２）ベース材１１の表面側へのカバー材１２の固定の手順でなされる（図１および図２参照）。
【００２７】
具体的には、まず、ベース材１１の裏面に接着剤を塗布し、壁面の所定の部位に貼り付ける。接着剤としては、壁材４が石膏ボードの場合は、木質材にも石膏ボードにも接着性のよいものを用いればよく、たとえば酢酸ビニル系の接着剤が用いられる。なお、接着剤に代えて両面テープを用いてもよい。
【００２８】
つぎに、壁面に取り付けたベース材１１の打ち込み溝１１ａに、床面に平行にフィニッシュネイル（固定具７）を打ち込み、ベース材１１を壁材４の裏面側に配された横胴縁５に固定する（図１参照）。
【００２９】
ついで、カバー材１２の、壁面やベース材１１に接触する背面全体に接着剤を塗布し、ベース材１１の上端面と表面を隠すように壁面に貼り付ける（図１参照）。接着剤としてはベース材１１の貼り付けに用いたものと同様のものを用いればよい。なお、接着剤に代えて両面テープを用いてもよい。
【００３０】
つぎに、壁面に貼り付けたカバー材１２の打ち込み溝１２ｄ、１２ｄに、床面に平行にフィニッシュネイル（固定具７、７）を打ち込み、ベース材１１および壁材４を貫通させて、カバー材１２をベース材１１と壁材４に固定する（図１および図２参照）。カバー材１２はこのようにベース材１１に固定することで、間接的に横胴縁５にも固定されることとなる。
【００３１】
以上のようにして、２部材よりなる幅木１０は壁面の所定の部位に取り付けられる（図２参照）。
【００３２】
以上のように、この幅木１０は、カバー材１２は横胴縁５などの固定具打ち込み用の下地材には直接的に固定されないが、横胴縁５に固定したベース材１１に固定具７で固定されるようになっているため、間接的に横胴縁５に固定されることとなる。その結果、幅木１０は強固に固定される。また、幅木１０は壁材４の裏面側の横胴縁５に固定具７で固定されるので、本実施形態のように、壁材４が石膏ボードで形成されている場合も強固な固定が実現できる。
【００３３】
また、本幅木１０のような高さの高いものでも、カバー材１２については、異なる複数の高さ位置に固定具７で固定できるので施工上の問題はない。幅木１０がベース材１１とカバー材１２との組み合わせよりなるから、高さを種々異ならせるために、共通のベース材１１に、種々の高さのカバー材１２を組み合わせて利用してもよい。
【００３４】
また、固定具７による固定は横胴縁５に対するものであるため、あらかじめ定めた高さ位置に固定具７を打ち込むだけでよく、作業性もよい。また、横胴縁５に対してはベース材１１のみが固定されるので、カバー材１２には、デザイン性のみを考慮した適切な高さ位置の打ち込み溝１２ｄ、１２ｄを設けることができる。
【００３５】
以上には高さ寸法の大きい高幅木を一実施形態として例示、説明したが、種々の高さ寸法の、たとえば一般的な高さの低い幅木にも適用は可能である。その場合は、カバー材１２の打ち込み溝１２ｄは１本だけでもよい。
【符号の説明】
【００３６】
４            壁材
５            横胴縁
７            固定具
１０          幅木
１１          ベース材
１１ａ        打ち込み溝
１２          カバー材
１２ｄ        打ち込み溝
【図１】
2017002605.tif 000003
【図２】
2017002605.tif 000004
【図３】
2017002605.tif 000005